(57)【要約】【課題】使用者がジグリングを行っている際の位置ずれを抑制することができる運動器具を提供する。【解決手段】運動器具１は、使用者の両足が載置される載置部（平滑面５ａ）と、円弧部５ｂを有し、載置部に載置された使用者の両足が交互に動作することで回動する本体部５と、本体部５の水平面内における移動を規制する規制手段と、を備え、規制手段は、本体部の一対の側面５ｃにそれぞれ外側から当接する一対の当接部（一対の規制板３）を有する。【選択図】図１
2020010800.tif 000002
【特許請求の範囲】
【請求項１】
使用者の両足が載置される載置部と、円弧部を有し、前記載置部に載置された使用者の両足が交互に動作することで回動する本体部と、
前記本体部の水平面内における移動を規制する規制手段と、を備え、
前記規制手段は、
前記本体部の一対の側面にそれぞれ外側から当接する一対の当接部を有することを特徴とする運動器具。
【請求項２】
床面に設置され、前記当接部を有するベース部をさらに備えたことを特徴とする請求項１に記載の運動器具。
【請求項３】
前記円弧部と前記ベース部は、前記本体部が回動すると近接して対向する位置に本体側磁石とベース側磁石をそれぞれ備え、
前記本体側磁石と前記ベース側磁石の磁極は、接近すると互いに反発するように設定されることを特徴とする請求項２に記載の運動器具。
【請求項４】
前記規制手段は、前記本体部の前記円弧部に沿い、前記円弧部を下方から面で支持する滑り面を備えたことを特徴とする請求項１から３のいずれかに記載の運動器具。
【請求項５】
前記規制手段は、前記本体部の前記円弧部を下方から支持する一対の支持部を備えたことを特徴とする請求項１から３のいずれかに記載の運動器具。
【発明の詳細な説明】
【技術分野】
【０００１】
本発明は、使用者が両足を交互に上下させる運動に供する運動器具に関する。
【背景技術】
【０００２】
血行の促進やストレス解消、運動不足の簡易的な解消手段として、両足を交互に小刻みに上下させる運動・動作、いわゆる「貧乏ゆすり」が効果的であるといわれている（以下、この動作を「ジグリング」と称する）。近年では、車椅子での生活を余儀なくされている高齢者の運動不足を解消する手段としても注目されている。
【０００３】
そこで従来、車椅子等に着座した姿勢でジグリングを簡単に行える足踏み器具が提案されている（例えば特許文献１）。特許文献１に示す足踏み器具は、円柱を底面に対して直交する方向から切断した形状を有しており、平滑な切断面は足置き部となっている。使用者は円弧の頂点部を床等に接触させ、この状態で足置き部に両足を載置したうえで交互に上下させる。これにより、使用者はジグリングを連続して行えるようになっている。
【先行技術文献】
【特許文献】
【０００４】
【特許文献１】特開２０１６−７３５９７号公報
【発明の概要】
【発明が解決しようとする課題】
【０００５】
しかしながら上記従来技術では、足踏み器具の一側を使用者の足で押し下げた際、押し下げ時の力によって足踏み器具が所定位置から予期せぬ方向へ移動してしまい（水平面内における位置ずれ）、一定の位置でジグリングを連続してスムーズに行うことができないといった事態が生じていた。このように従来技術では、位置ずれを抑制しつつジグリングを連続して行うことが困難であった。
【０００６】
そこで本発明は、位置ずれを抑制しつつジグリングを連続して行うことができる運動器具を提供することを目的とする。
【課題を解決するための手段】
【０００７】
本発明の運動器具は、使用者の両足が載置される載置部と、円弧部を有し、前記載置部に載置された使用者の両足が交互に動作することで回動する本体部と、前記本体部の水平面内における移動を規制する規制手段と、を備え、前記規制手段は、前記本体部の一対の側面にそれぞれ外側から当接する一対の当接部を有する。
【発明の効果】
【０００８】
本発明によれば、位置ずれを抑制しつつジグリングを連続して行うことができる。
【図面の簡単な説明】
【０００９】
【図１】（ａ）（ｂ）本発明の実施の形態１における運動器具の模式的な全体斜視図
【図２】（ａ）（ｂ）（ｃ）本発明の実施の形態１における運動器具の使用例を示す図
【図３】（ａ）（ｂ）本発明の実施の形態２における運動器具の模式的な全体斜視図
【図４】（ａ）（ｂ）（ｃ）本発明の実施の形態２における運動器具の模式的な図３（ａ）で示すＡ−Ａ’矢視図
【図５】（ａ）（ｂ）本発明の実施の形態３における運動器具の模式的な全体斜視図
【図６】（ａ）（ｂ）（ｃ）本発明の実施の形態３における運動器具の模式的な図５（ａ）で示すＢ−Ｂ’矢視図
【図７】（ａ）（ｂ）本発明の実施の形態４における運動器具の模式的な全体斜視図
【図８】（ａ）（ｂ）（ｃ）本発明の実施の形態４における運動器具の模式的な図７（ａ）で示すＣ−Ｃ’矢視図
【図９】（ａ）（ｂ）本発明の実施の形態５における運動器具の模式的な全体斜視図
【図１０】（ａ）（ｂ）（ｃ）本発明の実施の形態５における運動器具の使用例を示す図
【発明を実施するための形態】
【００１０】
（実施の形態１）
図１，２を参照して、本発明の実施の形態１における運動器具を説明する。運動器具１は、使用者の両足を踵側から交互に小刻みに上下させる運動・動作、すなわち使用者の両足の運動（ジグリング）に供するものである。
【００１１】
運動器具１は、床面Ｆ（図２）上に載置される矩形のベース部２を備えている。ベース部２の上面において、長手方向の中央付近には、上方に延出する前後一対の規制板３が固定されている。ベース部２の下面には、滑り止め部材としてのゴムシート４が設けられており、これによりベース部２が床面Ｆに対して横滑りしないようになっている。このように、ベース部２は一対の規制板３（当接部）を有して、床面Ｆに設置される。以下、ベース部２の長辺と平行な方向をＸ軸方向、Ｘ軸方向と水平面内で直交する方向をＹ軸方向、ＸＹ平面に対して直交する方向をＺ軸方向と定義する。
【００１２】
ベース部２の一対の規制板３の間には、回動体としての本体部５がベース部２に対して回動自在に配置されている。本体部５は、例えば円柱状の部材を円形の底面に対して直交する方向から切断することで形成され、正面視して円弧状（半円状）に成形されている。これにより、本体部５は切断面が平滑面５ａとなっており、且つ、本体部５の平滑面５ａを除く周方向に沿って円弧部５ｂが形成されている。また、円柱状の部材の対向する底面は、本体部５の一対の側面５ｃとなっている。ベース部２、一対の規制板３、本体部５は、例えば木材から成る。
【００１３】
本体部５は、一対の側面５ｃを一対の規制板３によって挟まれて前後方向（Ｙ軸方向）の移動が規制された状態で、前後方向を軸心として回動自在に支持される。すなわち、一対の規制板３は本体部５の一対の側面５ｃにそれぞれ外側から当接する一対の当接部であり、本体部５の水平面内における移動を規制する規制手段を構成する。本体部５の平滑面５ａは、使用者の両足Ｌ１，Ｌ２（図２）が載置される載置部となっている。すなわち、平滑面５ａは、使用者の両足Ｌ１，Ｌ２が載置される載置部である。なお、本体部５には、使用者の両足Ｌ１，Ｌ２が接触する平滑面５ａ上の位置に、ゴムシート等の滑り止め部材を設けてもよい。
【００１４】
実施の形態１における運動器具１は以上のように構成される。次に図２を参照して、運動器具１の使用例を説明する。まず図２（ａ）に示すように、使用者は運動器具１を床面Ｆ上に設置する。なお、ジグリング開始前における運動器具１の基本姿勢は、本体部５の円弧部５ｂの頂部Ｔ１がベース部２に最も接近する位置、言い換えれば平滑面５ａが水平となる位置にある。
【００１５】
次いで使用者は、一方の足Ｌ１と他方の足Ｌ２のそれぞれを平滑面５ａの両側に載置する。次いで図２（ｂ）に示すように、使用者が一方の足Ｌ１を踵側から下方に動かすことで（矢印ａ）、本体部５は一対の規制板３によって前後方向（Ｙ軸方向）の移動が規制された状態で矢印ｂ方向に回動するとともに、他方の足Ｌ２が上方に移動する。次いで図２（ｃ）に示すように、使用者が他方の足Ｌ２を踵側から下方に動かすことで（矢印ｃ）、本体部５は一対の規制板３によって前後方向（Ｙ軸方向）の移動が規制された状態で矢印ｄ方向に回動するとともに、一方の足Ｌ１が上方に移動する。
【００１６】
そして、使用者が一方の足Ｌ１と他方の足Ｌ２を小刻みに交互に上下させることで（ジグリング）、本体部５は往復により回動する（矢印ｂ→矢印ｄ→矢印ｂ→矢印ｄ・・・）。このように、本体部５は円弧部５ｂ（曲面）を有し、載置部（平滑面５ａ）に載置された使用者の両足Ｌ１，Ｌ２が交互に動作することで、円弧部５ｂの周方向に沿って回動する。
【００１７】
以上説明したように、実施の形態１における運動器具１によれば、使用者がジグリングを行う際、本体部５の前後方向（Ｙ軸方向）の位置ずれを抑制することができ、その結果としてジグリングを一定の位置において連続して行うことができる。
【００１８】
（実施の形態２）
次に図３，４を参照して、本発明の実施の形態２における運動器具を説明する。実施の形態２における運動器具１０は、床面Ｆに設置されるベース部１１の上面に配置された本体部１３の移動を規制する機能を有する規制手段が異なる。すなわち、運動器具１０が備えるベース部１１の上面には、下受け部材１２が固定されている。本体部１３の形状は実施の形態１の本体部５と同様であり、使用者の両足Ｌ１，Ｌ２が載置される載置部である平滑面１３ａ、円弧状の曲線を有する円弧部１３ｂ、一対の側面１３ｃを有している。
【００１９】
下受け部材１２は、円弧部１３ｂを下方に向けた本体部１３を下受けする凹形状を有している。下受け部材１２は、本体部１３が下受け部材１２に載置された状態において、一対の側面１３ｃに外側から当接する一対の当接面１２ａと、円弧部１３ｂに沿う曲面を有する滑り面１２ｂを備えている。図４（ａ）〜（ｃ）に示すように、本体部１３は、円弧部１３ｂが滑り面１２ｂに沿って滑るように回動する。本体部１３が回動する際、本体部１３は一対の当接面１２ａによって前後方向（Ｙ軸方向）の移動が規制される。
【００２０】
このように、一対の当接面１２ａは、本体部１３の一対の側面１３ｃにそれぞれ外側から当接する一対の当接部である。そして、下受け部材１２は、本体部１３の円弧部１３ｂに沿い、円弧部１３ｂを下方から面で支持する滑り面１２ｂと、一対の当接部（一対の当接面１２ａ）を備え、本体部１３の水平面内における移動を規制する規制手段である。実施の形態２における運動器具１０では、使用者がジグリングにより本体部１３を回動させる際に、円弧部１３ｂと滑り面１２ｂによって発生する摩擦力に対抗する力を加える必要があるため、使用者の筋力を維持する効果も期待できる。なお、円弧部１３ｂと滑り面１２ｂによって発生する摩擦力は、円弧部１３ｂと滑り面１２ｂの表面の加工具合を変更することで、調整することができる。
【００２１】
（実施の形態３）
次に図５，６を参照して、本発明の実施の形態３における運動器具を説明する。実施の形態３における運動器具２０は、床面Ｆに設置されるベース部２１の上面に配置された本体部２３の移動を規制する機能を有する規制手段が異なる。すなわち、運動器具２０が備えるベース部２１の上面には、支持部材２２が固定されている。本体部２３の形状は実施の形態１の本体部５と同様であり、使用者の両足Ｌ１，Ｌ２が載置される載置部である平滑面２３ａ、円弧状の曲線を有する円弧部２３ｂ、一対の側面２３ｃを有している。
【００２２】
図５において、支持部材２２は、左右方向（Ｘ軸方向）に延びた円柱を備えた一対の規制部２２ａと、前後方向（Ｙ軸方向）に延びた一対の支持部２２ｂを備えて構成されている。円弧部２３ｂを下方に向けた本体部２３は、支持部材２２の一対の規制部２２ａの間に沿って挿入されて、円弧部２３ｂが一対の支持部２２ｂに支持されるように載置される。図６（ａ）〜（ｃ）に示すように、一対の支持部２２ｂは、円弧部２３ｂを２箇所で支持する間隔でベース部２１の上方に設置されている。本体部２３は、円弧部２３ｂが一対の支持部２２ｂに支持された状態で回動する。本体部２３が回動する際、本体部２３は一対の規制部２２ａによって前後方向の移動が規制される。
【００２３】
このように、一対の規制部２２ａは、本体部２３の一対の側面２３ｃにそれぞれ外側から当接する一対の当接部である。そして、支持部材２２は、本体部２３の円弧部２３ｂを下方から支持する一対の支持部２２ｂと、一対の当接部（一対の規制部２２ａ）を備え、本体部２３の水平面内における移動を規制する規制手段である。なお、一対の支持部２２ｂの形状は断面が円である円柱に限定されることなく、断面が多角形（例えば、６角形や８角形）の多角柱であってもよい。実施の形態３における運動器具２０では、一対の支持部２２ｂによって本体部２３を支持することにより、本体部２３の回動の軸芯がジグリング中に左右方向（Ｘ軸方向）に移動する位置ずれを抑制しつつジグリングを連続して行うことができる。
【００２４】
（実施の形態４）
次に図７，８を参照して、本発明の実施の形態４における運動器具を説明する。実施の形態４における運動器具３０では、本体部３２の移動を規制する機能を有する規制手段と床面Ｆに設置されるベース部が一体的に形成されている。本体部３２の形状は実施の形態１の本体部５と同様であり、使用者の両足Ｌ１，Ｌ２が載置される載置部である平滑面３２ａ、円弧状の曲線を有する円弧部３２ｂ、一対の側面３２ｃを有している。
【００２５】
床面Ｆに設置される凹形部材３１の上面３１ａには、本体部３２が凹形部材３１に載置された状態において、一対の側面３２ｃに外側から当接する一対の当接面３１ｂと、円弧部３２ｂに沿う曲面を有する滑り面３１ｃを備えている。図８（ａ）〜（ｃ）に示すように、本体部３２は、円弧部３２ｂが滑り面３１ｃに沿って滑るように回動する。本体部３２が回動する際、本体部３２は一対の当接面３１ｂによって前後方向（Ｙ軸方向）の移動が規制される。
【００２６】
このように、一対の当接面３１ｂは、本体部３２の一対の側面３２ｃにそれぞれ外側から当接する一対の当接部である。そして、凹形部材３１は、本体部３２の円弧部３２ｂに沿い、円弧部３２ｂを下方から面で支持する滑り面３１ｃと、一対の当接部（一対の当接面３１ｂ）を備え、本体部３２の水平面内における移動を規制する規制手段である。また、凹形部材３１は、床面Ｆに設置され、当接部（一対の当接面３１ｂ）を有するベース部でもある。実施の形態４における運動器具３０では、実施の形態２と同様に、使用者がジグリングにより本体部３２を回動させる際に、円弧部３２ｂと滑り面３１ｃによって発生する摩擦力に対抗する力を加える必要があるため、使用者の筋力を維持する効果も期待できる。
【００２７】
（実施の形態５）
次に図９，１０を参照して、本発明の実施の形態５における運動器具を説明する。実施の形態５における運動器具４０は、本体部４３の円弧部４３ｂに本体側磁石４５を、ベース部４１の上面にベース側磁石４４を備えている。本体部４３の形状は実施の形態１の本体部５と同様であり、使用者の両足Ｌ１，Ｌ２が載置される載置部である平滑面４３ａ、円弧状の曲線を有する円弧部４３ｂ、一対の側面４３ｃを有している。また、床面Ｆに設置されるベース部４１の上面には、一対の規制板４２（一対の当接部）が設置されている。
【００２８】
運動器具４０を使用する際は、円弧部４３ｂを下方に向けた本体部４３を一対の規制板４２の間に挿入してベース部４１の上面に載置する。一対の規制板４２は、本体部４３の一対の側面４３ｃにそれぞれ外側から当接して本体部４３の水平面内における移動を規制する。使用者が両足Ｌ１，Ｌ２を平滑面４３ａ（載置部）に載せて平滑面４３ａが水平になっている状態（図１０（ａ））から、一方の足Ｌ１を下方（矢印ｅ）に動かすと本体部４３が回動して円弧部４３ｂの右側とベース部４１の上面の右側が近接する（図１０（ｂ））。
【００２９】
図１０（ｂ）において、円弧部４３ｂの右側とベース部４１の上面の右側であって、本体部４３が回動すると互いに近接する対向した位置には、それぞれ本体側磁石４５とベース側磁石４４が設置されている。本体側磁石４５とベース側磁石４４は、それぞれ１枚の板状の磁石であり、対向する位置が同じ磁極（Ｎ極同士、または、Ｓ極同士）となるように設置されている。これによって、本体部４３が回動して本体側磁石４５とベース側磁石４４が接近すると、本体部４３を押し下げている使用者の一方の足Ｌ１を押し上げる方向の反発力Ｒ１が発生する。
【００３０】
図１０（ｃ）において、円弧部４３ｂの左側とベース部４１の上面の左側であって、本体部４３が回動すると互いに近接する対向した位置には、右側と同様に本体側磁石４５とベース側磁石４４が設置されている。使用者が他方の足Ｌ２を下方（矢印ｆ）に動かすと、本体部４３が回動して本体側磁石４５とベース側磁石４４が接近し、本体部４３を押し下げている使用者の他方の足Ｌ２を押し上げる方向の反発力Ｒ２が発生する。なお、本体側磁石４５とベース側磁石４４は１枚の板状の磁石に限定されることはなく、互いに対向する位置に複数の磁石を配置する構成であってもよい。
【００３１】
このように、円弧部４３ｂとベース部４１は、本体部４３が回動すると近接して対向する位置に本体側磁石４５とベース側磁石４４をそれぞれ備え、本体側磁石４５とベース側磁石４４の磁極は、接近すると互いに反発するように設定されている。これにより、実施の形態５における運動器具４０では、使用者が一方の足Ｌ１または他方の足Ｌ２を押し下げて本体部４３が回動すると、押し下げた側の足Ｌ１，Ｌ２を押し上げる反発力Ｒ１，Ｒ２が発生する。この反発力Ｒ１，Ｒ２の作用により、運動器具４０では、片方の足Ｌ１，Ｌ２を押し下げる力が弱い使用者であっても、一方の足Ｌ１と他方の足Ｌ２を小刻みに交互に上下させる（ジグリング）ことができる。
【００３２】
なお、本発明に係る運動器具は、発明の趣旨を逸脱しない範囲で設計変更が可能である。例えば運動器具は、実施の形態１の一対の規制板３と、実施の形態３の前後方向（Ｙ軸方向）に延びる多角柱状の一対の支持部２２ｂをベース部上に固定して設ける形態であってもよい。また運動器具は、実施の形態２の運動器具１０、および実施の形態３の運動器具２０に、実施の形態５の運動器具４０が備える本体側磁石４５とベース側磁石４４を追加した形態であってもよい。
【産業上の利用可能性】
【００３３】
本発明によれば、位置ずれを抑制しつつジグリングを連続して行うことができ、高齢者の運動不足を解消するツールとして特に有用である。
【符号の説明】
【００３４】
１，１０，２０，３０，４０  運動器具
２，１１，２１，４１  ベース部
３，４２  一対の規制板（一対の当接部）
５，１３，２３，３２，４３  本体部
５ａ，１３ａ，２３ａ，３２ａ，４３ａ  平滑面（載置部）
５ｂ，１３ｂ，２３ｂ，３２ｂ，４３ｂ  円弧部
５ｃ，１３ｃ，２３ｃ，３２ｃ，４３ｃ  一対の側面
１２ａ，３１ｂ  一対の当接面（一対の当接部）
１２ｂ，３１ｃ  滑り面
２２ａ  一対の規制部（一対の当接部）
２２ｂ  一対の支持部
４４  ベース側磁石
４５  本体側磁石
Ｆ  床面
【図１】
2020010800.tif 000003
【図２】
2020010800.tif 000004
【図３】
2020010800.tif 000005
【図４】
2020010800.tif 000006
【図５】
2020010800.tif 000007
【図６】
2020010800.tif 000008
【図７】
2020010800.tif 000009
【図８】
2020010800.tif 000010
【図９】
2020010800.tif 000011
【図１０】
2020010800.tif 000012